(57)【要約】      （修正有）【課題】ゴム組成物に添加した場合にその硬化物のヒステリシスロスを大幅に低下させることが可能であると共に、所望のウェットグリップ特性を有する低燃費タイヤを実現し得るゴム組成物を与える有機ケイ素化合物及びその製造方法の提供。【解決手段】式（１）で表される有機ケイ素化合物。2019143032.tif 000022（Ａは１価炭化水素基、Ｘは単結合、−Ｓ−、−ＣＯ−および−ＣＳ−から選ばれる１種以上の基。ａは０より大きい数、ｂは０以上の数、ｃは０以上の数、ｄは０以上の数、ｅは０より大きい数、ｆは０以上の数を表すが、ｃ＋ｄは０より大きい数を表す。ｍは１〜３の整数を表す。ただし、各繰り返し単位の順序は任意。）【選択図】なし【特許請求の範囲】
【請求項１】
下記式（１）で表される有機ケイ素化合物。
【化１】
2019143032.tif 000017
（式中、Ｒ1は、互いに独立して、炭素数１〜１０のアルキル基または炭素数６〜１０のアリール基を表し、Ｒ2は、互いに独立して、炭素数１〜１０のアルキル基または炭素数６〜１０のアリール基を表し、Ａは、非置換又は置換の炭素数１〜２０の１価の炭化水素基を表し、Ｘは単結合、−Ｓ−、−ＣＯ−および−ＣＳ−から選ばれる１種以上の基を表す。ａは０より大きい数を表し、ｂは０以上の数を表し、ｃは０以上の数を表し、ｄは０以上の数を表し、ｅは０より大きい数を表し、ｆは０以上の数を表すが、ｃ＋ｄは０より大きい数を表す。ｍは１〜３の整数を表す。ただし、各繰り返し単位の順序は任意である。）
【請求項２】
前記−Ｘ−Ａで表される官能基が、下記式（２）で表される官能基である請求項１記載の有機ケイ素化合物。
【化２】
2019143032.tif 000018
（式中、Ａは上記と同様である。＊は結合手を示す。）
【請求項３】
下記式（３）
【化３】
2019143032.tif 000019
（式中、Ｒ1、Ｒ2、ａ、ｂ、ｃ、ｄ、ｅ、ｆおよびｍは上記と同様である。）
で表される有機ケイ素化合物と、下記式（４）
【化４】
2019143032.tif 000020
（式中、ＡおよびＸは上記と同様である。）
で表される化合物とを反応させることを特徴とする請求項１記載の有機ケイ素化合物の製造方法。
【請求項４】
上記式（４）で表される化合物が、下記式（５）で表される化合物である請求項３記載の製造方法。
【化５】
2019143032.tif 000021
（式中、Ａは上記と同様である。）
【請求項５】
請求項１または２記載の有機ケイ素化合物を含んでなるゴム用配合剤。
【請求項６】
請求項５記載のゴム用配合剤を含むゴム組成物。
【請求項７】
請求項６記載のゴム組成物を成形してなるタイヤ。
【発明の詳細な説明】
【技術分野】
【０００１】
本発明は、有機ケイ素化合物、並びにそれを用いたゴム用配合剤およびゴム組成物に関し、さらに詳述すると、ポリブタジエン骨格、硫黄原子を有する骨格を有する有機ケイ素化合物およびその製造方法、当該有機ケイ素化合物を含むゴム用配合剤およびゴム組成物、並びにこのゴム組成物から得られるタイヤに関する。
【背景技術】
【０００２】
含硫黄有機ケイ素化合物は、シリカ充填ゴム組成物からなるタイヤを製造する際の必須成分として有用である。シリカ充填タイヤは、自動車用途で優れた性能を有し、特に、耐磨耗性、転がり抵抗およびウェットグリップ性に優れている。これらの性能向上は、タイヤの低燃費性向上と密接に関連しているため、昨今盛んに研究されている。
【０００３】
低燃費性向上には、ゴム組成物のシリカ充填率を上げることが必須であるが、シリカ充填ゴム組成物は、タイヤの転がり抵抗を低減し、ウェットグリップ性を向上させるものの、未加硫粘度が高く、多段練り等を要し、作業性に問題がある。
そのため、シリカ等の無機質充填剤を単に配合したゴム組成物においては、充填剤の分散が不足し、破壊強度および耐磨耗性が大幅に低下するといった問題が生じる。そこで、無機質充填剤のゴム中への分散性を向上させるとともに、充填剤とゴムマトリックスとを化学結合させるため、含硫黄有機ケイ素化合物が必須であった。
【０００４】
ゴム用配合剤として使用される含硫黄有機ケイ素化合物としては、アルコキシシリル基とポリスルフィドシリル基を分子内に含む化合物、例えば、ビス−トリエトキシシリルプロピルテトラスルフィドやビス−トリエトキシシリルプロピルジスルフィド等が知られている（特許文献１〜４参照）。
【０００５】
一方、特許文献５には、ゴム用配合剤としてシラン変性ブタジエン重合体が開示されているが、このシラン変性ブタジエン重合体は硫黄原子を含有していないため、所望のタイヤ物性を発現できない場合がある。
【先行技術文献】
【特許文献】
【０００６】
【特許文献１】特表２００４−５２５２３０号公報
【特許文献２】特開２００４−１８５１１号公報
【特許文献３】特開２００２−１４５８９０号公報
【特許文献４】米国特許第６２２９０３６号公報
【特許文献５】特開２０１６−１９１０４０号公報
【発明の概要】
【発明が解決しようとする課題】
【０００７】
本発明は、上記事情に鑑みなされたもので、ゴム組成物に添加した場合に、その硬化物のヒステリシスロスを大幅に低下させることが可能であるとともに、所望のウェットグリップ特性を有する低燃費タイヤを実現し得るゴム組成物を与える有機ケイ素化合物およびその製造方法を提供することを目的とする。
また、この有機ケイ素化合物を含むゴム用配合剤、このゴム用配合剤を配合してなるゴム組成物、およびこのゴム組成物から形成されたタイヤを提供することを他の目的とする。
【課題を解決するための手段】
【０００８】
本発明者は、上記課題を解決すべく鋭意検討した結果、ポリブタジエン骨格および加水分解性シリル基含有単位を有するとともにチオ結合含有単位を有する所定の有機ケイ素化合物が、ゴム組成物に添加した場合にその硬化物のヒステリシスロスを大幅に低下させ得ることからゴム用配合剤として好適であることを見出すとともに、当該ゴム用配合剤を含むゴム組成物から得られたタイヤが所望のウェットブリップ特性および低燃費性を実現し得ることを見出し、本発明を完成した。
【０００９】
すなわち、本発明は、
１．  下記式（１）で表される有機ケイ素化合物、
【化１】
2019143032.tif 000002
（式中、Ｒ1は、互いに独立して、炭素数１〜１０のアルキル基または炭素数６〜１０のアリール基を表し、Ｒ2は、互いに独立して、炭素数１〜１０のアルキル基または炭素数６〜１０のアリール基を表し、Ａは、非置換又は置換の炭素数１〜２０の１価の炭化水素基を表し、Ｘは単結合、−Ｓ−、−ＣＯ−および−ＣＳ−から選ばれる１種以上の基を表す。ａは０より大きい数を表し、ｂは０以上の数を表し、ｃは０以上の数を表し、ｄは０以上の数を表し、ｅは０より大きい数を表し、ｆは０以上の数を表すが、ｃ＋ｄは０より大きい数を表す。ｍは１〜３の整数を表す。ただし、各繰り返し単位の順序は任意である。）
２．  前記−Ｘ−Ａで表される官能基が、下記式（２）で表される官能基である１記載の有機ケイ素化合物、
【化２】
2019143032.tif 000003
（式中、Ａは上記と同様である。＊は結合手を示す。）
３．  下記式（３）
【化３】
2019143032.tif 000004
（式中、Ｒ1、Ｒ2、ａ、ｂ、ｃ、ｄ、ｅ、ｆおよびｍは上記と同様である。）
で表される有機ケイ素化合物と、下記式（４）
【化４】
2019143032.tif 000005
（式中、ＡおよびＸは上記と同様である。）
で表される化合物とを反応させることを特徴とする１記載の有機ケイ素化合物の製造方法、
４．  上記式（４）で表される化合物が、下記式（５）で表される化合物である３記載の製造方法、
【化５】
2019143032.tif 000006
（式中、Ａは上記と同様である。）
５．  １または２記載の有機ケイ素化合物を含んでなるゴム用配合剤、
６．  ５記載のゴム用配合剤を含むゴム組成物、
７．  ６記載のゴム組成物を成形してなるタイヤ
を提供する。
【発明の効果】
【００１０】
本発明の有機ケイ素化合物は、ポリブタジエン骨格とチオ結合と加水分解性シリル基とを有しており、この有機ケイ素化合物を含有するゴム用配合剤を使用したゴム組成物を用いて形成されたタイヤは、所望のウェットグリップ特性および低燃費タイヤ特性を満足することができる。
【発明を実施するための形態】
【００１１】
以下、本発明について具体的に説明する。
［有機ケイ素化合物］
本発明に係る有機ケイ素化合物は、下記式（１）で表される。なお、式（１）において、各繰り返し単位の順序は任意である。
【化６】
2019143032.tif 000007
【００１２】
式中、Ｒ1は、互いに独立して、炭素数１〜１０、好ましくは炭素数１〜６のアルキル基または炭素数６〜１０のアリール基を表し、Ｒ2は、互いに独立して、炭素数１〜１０、好ましくは炭素数１〜６のアルキル基または炭素数６〜１０のアリール基を表し、Ｘは単結合、−Ｓ−、−ＣＯ−および−ＣＳ−から選ばれる１種以上の基を表す。ａは０より大きい数を表し、ｂは０以上の数を表し、ｃは０以上の数を表し、ｄは０以上の数を表し、ｅは０より大きい数を表し、ｆは０以上の数を表すが、ｃ＋ｄは０より大きい数を表す。ｍは１〜３の整数を表す。
【００１３】
ここで、Ｒ1およびＲ2の炭素数１〜１０のアルキル基としては、直鎖状、分枝状、環状のいずれでもよく、その具体例としては、メチル、エチル、ｎ−プロピル、ｉ−プロピル、ｎ−ブチル、ｓ−ブチル、ｔ−ブチル、ｎ−ペンチル、ｎ−ヘキシル、ｎ−ヘプチル、ｎ−オクチル、ｎ−ノニル、ｎ−デシル、シクロプロピル、シクロブチル、シクロペンチル、シクロヘキシル、シクロヘプチル、シクロオクチル等が挙げられる。
炭素数６〜１０のアリール基の具体例としては、フェニル、α−ナフチル、β−ナフチル基等が挙げられる。
【００１４】
これらの中でも、Ｒ1としては、直鎖のアルキル基が好ましく、メチル基、エチル基がより好ましい。
また、Ｒ2としては、直鎖のアルキル基が好ましく、メチル基、エチル基がより好ましい。
【００１５】
Ａの非置換又は置換の炭素数１〜２０の１価の炭化水素基としては、炭素数１〜１０のものが好ましく、例えば、直鎖状、分岐状、環状のアルキル基、アリール基、アラルキル基等が挙げられる。具体的には、メチル、エチル、プロピル、イソプロピル、ブチル、２−ブチル、ｔｅｒｔ−ブチル、ペンチル、２−ペンチル、３−ペンチル、ネオペンチル、ｔｅｒｔ−ペンチル、ヘキシル、２−ヘキシル、３−ヘキシル、イソヘキシル、ｔｅｒｔ−ヘキシル、ヘプチル、イソヘプチル、オクチル、イソオクチル、２−エチルヘキシル、ノニル、デシル、ウンデシル、ドデシル、トリデシル、テトラデシル、ペンタデシル、ヘキサデシル、ヘプタデシル、オクタデシル、ノナデシル、エイコシル、シクロペンチル、シクロヘキシル、シクロヘプチル、メチルシクロヘキシル、ｔｅｒｔ−ブチルシクロヘキシル等の直鎖状、分岐状、環状アルキル基；フェニル、トリル、キシリル、メシチル等のアリール基；ベンジル、フェネチル、３−フェニルプロピル等のアラルキル基などが挙げられる。また、置換炭化水素基としては、窒素、酸素、硫黄等のヘテロ原子やケイ素原子などを含んだものが挙げられ、具体的には、トリメトキシシリルプロピル、トリエトキシシリルプロピル等のアルコキシシリル基含有アルキル基；ベンズイミダゾリル、イミダゾリル、ベンゾチアゾリル、ベンゾキサゾリル、ピリミジル、プリニル、トリアゾリル、ピリジニル等の複素環基などが挙げられる。
【００１６】
Ｘは、単結合、硫黄原子（−Ｓ−）、カルボニル結合（−ＣＯ−）およびチオカルボニル結合（−ＣＳ−）から選ばれる少なくとも１種の連結基を表すが、−ＣＯ−が好ましい。このようなチオエステル構造を有することにより、低燃費性、ウェットグリップ性などのタイヤ物性を向上させることができる。
【００１７】
−Ｘ−Ａで表される官能基としては、特に下記式（２）で表される基が好ましい。
【化７】
2019143032.tif 000008
（式中、Ａは上記と同様である。＊は結合手を示す。）
【００１８】
ａは０より大きい数であるが、５より大きい数であることが好ましく、より好ましくは１０〜１００の整数である。
ｂは０以上の数であるが、０〜５０の整数が好ましく、さらに好ましくは０〜５の整数である。
ｃは０以上の数であり、ｄは０以上の数であるが、ｃ＋ｄは０より大きい数であり、２より大きい数が好ましく、さらに好ましくは３〜５０の整数である。
ｅは０より大きい数であるが、２より大きい数が好ましく、さらに好ましくは３〜５０の整数である。
ｆは０以上の数であるが、ｆの単位を含む場合は、２より大きい数が好ましく、さらに好ましくは３〜５０の整数である。
ｍは１〜３の整数である。
【００１９】
式（１）で表される有機ケイ素化合物は、下記スキームに示されるように、下記式（３）で表される有機ケイ素化合物と下記式（４）で表される硫黄原子含有化合物を反応させることで得ることができる。
【化８】
2019143032.tif 000009
（式中、Ｒ1、Ｒ2、ａ、ｂ、ｃ、ｄ、ｅ、ｆ、Ａ、Ｘおよびｍは上記と同様である。）
【００２０】
上記式（４）で表される硫黄原子含有化合物としては、例えば、アルキルチオール化合物、アルコキシシリル基含有メルカプト化合物、複素環式メルカプト化合物、チオ酸化合物等が挙げられる。上記硫黄原子含有化合物としては、特に下記式（５）で表されるチオ酸化合物が好ましい。
【化９】
2019143032.tif 000010
（式中、Ａは上記と同様である。）
【００２１】
上記式（４）で表される硫黄原子含有化合物として具体的には、プロパンチオール、ブタンチオール、ヘキシルチオール、ペンタンチオール、オクタンチオール、デカンチオール等のアルキルチオール化合物；３−メルカプトプロピルトリメトキシシラン、３−メルカプトプロピルトリエトキシシラン等のアルコキシシリル基含有メルカプト化合物；メルカプトベンズイミダゾール、メルカプトイミダゾール、メルカプトベンゾチアゾール、２−メルカプトベンゾキサゾール、２−メルカプトピリミジン、６−メルカプトプリン、１Ｈ−１，２，４−トリアゾール−３−チオール、４−メルカプトピリジン等の複素環式メルカプト化合物；チオ酢酸、チオ安息香酸等のチオ酸化合物などが挙げられる。これらの中でも本有機ケイ素化合物を配合したゴムの物性を向上させる観点から、チオ酢酸が好ましい。
【００２２】
上記反応には、必要に応じて触媒を用いてもよい。触媒としては、ラジカル発生剤が好ましく、アゾ化合物、有機過酸化物などが挙げられ、熱によりラジカルが発生するものや光照射によりラジカルが発生するものが含まれる。アゾ化合物の具体例としては、アゾビスイソブチロニトリル（ＡＩＢＮ）、１，１’−アゾビス（シクロヘキサンカルボニトリル）（ＡＢＣＮ）等が挙げられる。有機過酸化物の例としては、ジ−ｔｅｒｔ−ブチルペルオキシド、ｔｅｒｔ−ブチルヒドロペルオキシド、過酸化ベンゾイル、メチルエチルケトンペルオキシド、ｔ−ブチルパーオキシ２−エチルヘキサノエート等が挙げられる。
【００２３】
なお、上記反応は無溶媒でも進行するが、溶媒を用いることもできる。
使用可能な溶媒の具体例としては、ペンタン、ヘキサン、シクロヘキサン、ヘプタン、イソオクタン、ベンゼン、トルエン、キシレン等の炭化水素系溶媒；ジエチルエーテル、テトラヒドロフラン、ジオキサン等のエーテル系溶媒；酢酸エチル、酢酸ブチル等のエステル系溶媒；Ｎ，Ｎ−ジメチルホルムアミド等の非プロトン性極性溶媒；ジクロロメタン、クロロホルム等の塩素化炭化水素系溶媒などが挙げられ、これらの溶媒は、１種を単独で用いても、２種以上を混合して用いてもよい。
【００２４】
上記反応における反応温度は特に限定されるものではなく、０℃から加熱下で行うことができるが、４０〜１５０℃が好ましい。
適度な反応速度を得るためには加熱下で反応させることが好ましく、このような観点から、反応温度は４０〜１３０℃がより好ましく、５０〜１２０℃がより一層好ましい。
また、反応時間も特に限定されるものではなく、通常、１〜６０時間程度であるが、１〜３０時間が好ましく、１〜２０時間がより好ましい。
【００２５】
［ゴム用配合剤］
本発明のゴム用配合剤は、上述した式（１）で表される有機ケイ素化合物を含むものである。
この場合、粘度や取り扱い性等を考慮すると、ゴム用配合剤に用いる上記有機ケイ素化合物の数平均分子量は１００，０００以下であることが好ましく、４０，０００以下がさらに好ましく、より好ましくは１，０００〜２０，０００である。なお、本発明において、数平均分子量は、ゲルパーミエーションクロマトグラフィーによるポリスチレン換算値である。
【００２６】
本発明において、ゴム用配合剤に用いる有機ケイ素化合物は、得られるゴム組成物の特性を向上させることなどを考慮すると、加水分解性シリル基を有する単位が全単位当たり２％以上含有していることが好ましいことから、式（１）において、０．０２≦ｅ／（ａ＋ｂ＋ｃ＋ｄ＋ｈ＋ｅ＋ｆ）＜０．９を満たすことが好ましい。特に、加水分解性シリル基を有する単位は、全単位当たり、３％以上含有していることが好ましい。
【００２７】
また、本発明において、ゴム用配合剤に用いる有機ケイ素化合物は、得られるゴム組成物の特性を向上させることなどを考慮すると、硫黄原子を有するユニット単位が全単位当たり１％以上含有していることが好ましいことから、式（１）において、０．０１≦（ｃ＋ｄ）／（ａ＋ｂ＋ｃ＋ｄ＋ｈ＋ｅ＋ｆ）＜１．０を満たすことが好ましい。
特に、硫黄原子を有するユニット単位は、全単位当たり、２％以上含有していることが好ましい。
【００２８】
さらに、本発明のゴム用配合剤は、スルフィド基含有有機ケイ素化合物を含有することができる。
スルフィド基含有有機ケイ素化合物は、特に限定されるものではなく、その具体例としては、ビス（トリメトキシシリルプロピル）テトラスルフィド、ビス（トリエトキシシリルプロピル）テトラスルフィド、ビス（トリメトキシシリルプロピル）ジスルフィド、ビス（トリエトキシシリルプロピル）ジスルフィド等が挙げられる。
【００２９】
ゴム用配合剤中における上記有機ケイ素化合物とスルフィド基含有有機ケイ素化合物の配合比は、質量比で、有機ケイ素化合物：スルフィドシラン＝５：９５〜８０：２０が好ましく、１０：９０〜５０：５０がより好ましい。
【００３０】
また、本発明の有機ケイ素化合物とスルフィド基含有有機ケイ素化合物を少なくとも１種の粉体と混合したものをゴム用配合剤として使用することできる。
粉体の具体例としては、カーボンブラック、タルク、炭酸カルシウム、ステアリン酸、シリカ、水酸化アルミニウム、アルミナ、水酸化マグネシウム等が挙げられる。
これらの中でも、補強性の観点からシリカおよび水酸化アルミニウムが好ましく、シリカがより好ましい。
【００３１】
粉体の配合量は、ゴム用配合剤の取り扱い性や、輸送費等を考慮すると、粉体合計量（Ｙ）と、有機ケイ素化合物とスルフィド基含有有機ケイ素化合物の合計量（Ｘ）との質量比（（Ｘ）／（Ｙ））で、７０／３０〜５／９５が好ましく、６０／４０〜１０／９０がより好ましい。
【００３２】
なお、本発明のゴム用配合剤は、脂肪酸、脂肪酸塩、ポリエチレン、ポリプロピレン、ポリオキシアルキレン、ポリエステル、ポリウレタン、ポリスチレン、ポリブタジエン、ポリイソプレン、天然ゴム、スチレン−ブタジエン共重合体等の有機ポリマーやゴムと混合されたものでもよく、加硫剤、架橋剤、加硫促進剤、架橋促進剤、各種オイル、老化防止剤、充填剤、可塑剤などのタイヤ用、その他一般ゴム用に一般的に配合されている各種添加剤が配合されたものでもよい。
また、その形態としては、液体状でも固体状でもよく、さらに有機溶剤に希釈したものでもよく、またエマルジョン化したものでもよい。
【００３３】
［ゴム組成物］
本発明において、上記ゴム用配合剤が添加されるゴム組成物の主成分であるゴムとしては、従来、各種ゴム組成物に一般的に用いられている任意のゴムを用いることができ、その具体例としては、天然ゴム（ＮＲ）；イソプレンゴム（ＩＲ）、各種スチレン−ブタジエン共重合体ゴム（ＳＢＲ）、各種ポリブタジエンゴム（ＢＲ）、アクリロニトリル−ブタジエン共重合体ゴム（ＮＢＲ）等のジエン系ゴム；ブチルゴム（ＩＩＲ）、エチレン−プロピレン共重合体ゴム（ＥＰＲ，ＥＰＤＭ）等の非ジエン系ゴムなどが挙げられ、これらは、１種単独で用いても、２種以上を混合して用いてもよい。
なお、ゴム組成物中におけるゴムの配合量は、特に限定されるものではなく、従来の一般的な範囲である２０〜８０質量％とすることができる。
【００３４】
本発明のゴム用配合剤は、フィラー含有ゴム組成物の配合剤として好適に用いられる。
フィラーとしては、上記粉体と同様のものも用いることができ、シリカ、タルク、クレー、水酸化アルミニウム、水酸化マグネシウム、炭酸カルシウム、酸化チタン等が挙げられる。これらの中でも、本発明のゴム用配合剤は、シリカ含有ゴム組成物の配合剤として用いることがより好ましい。
なお、ゴム組成物中におけるフィラーの含有量は本発明の目的に反しない限り従来の一般的な配合量とすることができる。
【００３５】
この場合、ゴム用配合剤の添加量は、得られるゴムの物性や、発揮される効果の程度と経済性とのバランス等を考慮すると、ゴム組成物に含まれるフィラー１００質量部に対し、上記有機ケイ素化合物を０．２〜３０質量部が好ましく、１〜２０質量部がより好ましい。
【００３６】
本発明のゴム組成物には、前述した各成分に加えて、硫黄、カーボンブラック、加硫剤、架橋剤、加硫促進剤、架橋促進剤、各種オイル、老化防止剤、可塑剤、シランカップリング剤等のタイヤ用、その他一般ゴム用に一般的に配合されている各種添加剤を配合することができる。これら添加剤の配合量も本発明の目的に反しない限り、従来の一般的な配合量とすることができる。
【００３７】
［ゴム製品（タイヤ）］
本発明のゴム用配合剤を配合してなるゴム組成物は、一般的な方法で混練して組成物とし、これを加硫または架橋するゴム製品、例えば、タイヤ等のゴム製品の製造に使用することができる。特に、タイヤを製造するにあたっては、本発明のゴム組成物がトレッドに用いられていることが好ましい。
本発明のゴム組成物を用いて得られるタイヤは、転がり抵抗が大幅に低減されていることに加え、ウェットグリップ特性および耐磨耗性も大幅に向上していることから、所望の低燃費性を実現できる。
なお、タイヤの構造は、従来公知の構造とすることができ、その製法も、従来公知の製法を採用すればよい。また、気体入りのタイヤの場合、タイヤ内に充填する気体として通常空気や、酸素分圧を調整した空気の他、窒素、アルゴン、ヘリウム等の不活性ガスを用いることができる。
【実施例】
【００３８】
以下、実施例および比較例を挙げて本発明をより具体的に説明するが、本発明はこれらの実施例に限定されるものではない。
なお、下記において、「部」は質量部を意味する。分子量は、ＧＰＣ（ゲルパーミエーションクロマトグラフ）測定により求めたポリスチレン換算の数平均分子量である。粘度は、回転粘度計を用いて測定した２５℃における値である。また、下記式中、Ｅｔはエチル基を示す。
【００３９】
［１］有機ケイ素化合物の製造
［実施例１−１］有機ケイ素化合物Ａの合成
撹拌機、還流冷却器、滴下ロートおよび温度計を備えた１Ｌセパラブルフラスコに、特開２０１６−１９１０４０号公報記載の実施例１−８と同様にして製造した、下記平均組成式（６）で表される有機ケイ素化合物３００ｇ（数平均分子量３，６００）、オクチルチオール７３ｇ、およびトルエン４００ｇを納め、９０℃に加温した。この中に、ｔ−ブチルパーオキシ２−エチルヘキサノエート（パーブチルＯ、日本油脂製）１．０ｇを滴下した後、９０℃で２時間撹拌した。
【化１０】
2019143032.tif 000011
【００４０】
反応終了後、ガスクロマトグラフィー分析によりオクチルチオール化合物が消失したことを確認した。
反応終了後、減圧濃縮および濾過し、粘度２，０００ｍＰａ・ｓ、数平均分子量４，５００の褐色透明液体を得た。
生成物の分子量および1Ｈ−ＮＭＲスペクトルから求めた平均構造は、上記式（１）において、Ａ＝−Ｃ8Ｈ17、Ｘ＝単結合、ａ＝３３、ｂ＝０、（ｃ＋ｄ）＝６、ｅ＝７、ｆ＝０で表される有機ケイ素化合物であった。本化合物を有機ケイ素化合物Ａとする。
【００４１】
［実施例１−２］有機ケイ素化合物Ｂの合成
オクチルチオールをチオ酢酸３８ｇに変更した以外は、実施例１−１と同様に反応および後処理を行い、粘度２，０００ｍＰａ・ｓ、数平均分子量４，１００の褐色透明液体を得た。
生成物の分子量および1Ｈ−ＮＭＲスペクトルから求めた平均構造は、上記式（１）において、Ａ＝−ＣＨ3、Ｘ＝−ＣＯ−、ａ＝３３、ｂ＝０、（ｃ＋ｄ）＝６、ｅ＝７、ｆ＝０で表される有機ケイ素化合物であった。本化合物を有機ケイ素化合物Ｂとする。
【００４２】
［実施例１−３］有機ケイ素化合物Ｃの合成
チオ酢酸の量を１９ｇに変更した以外は、実施例１−２と同様に反応および後処理を行い、粘度１，９００ｍＰａ・ｓ、数平均分子量３，９００の褐色透明液体を得た。
生成物の分子量および1Ｈ−ＮＭＲスペクトルから求めた平均構造は、上記式（１）において、Ａ＝−ＣＨ3、Ｘ＝−ＣＯ−、ａ＝３３、ｂ＝３、（ｃ＋ｄ）＝３、ｅ＝７、ｆ＝０で表される有機ケイ素化合物であった。本化合物を有機ケイ素化合物Ｃとする。
【００４３】
［実施例１−４］有機ケイ素化合物Ｄの合成
撹拌機、還流冷却器、滴下ロートおよび温度計を備えた１Ｌセパラブルフラスコに、特開２０１７−８３０１号公報記載の実施例１−５と同様にして製造した、下記平均組成式（７）で表される有機ケイ素化合物４００ｇ（数平均分子量８，８００）、チオ酢酸３８ｇ、およびトルエン４００ｇを納め、９０℃に加温した。この中に、ｔ−ブチルパーオキシ２−エチルヘキサノエート（パーブチルＯ、日本油脂製）１．０ｇを滴下した後、９０℃で２時間撹拌した。
【化１１】
2019143032.tif 000012
【００４４】
反応終了後、ガスクロマトグラフィー分析によりオクチルチオール化合物が消失したことを確認した。
反応終了後、減圧濃縮および濾過し、粘度１４，０００ｍＰａ・ｓ、数平均分子量９，６００の褐色透明液体を得た。
生成物の分子量および1Ｈ−ＮＭＲスペクトルから求めた平均構造は、上記式（１）において、Ａ＝−ＣＨ3、Ｘ＝−ＣＯ−、ａ＝５２、ｂ＝０、（ｃ＋ｄ）＝１１、ｅ＝１１、ｆ＝２９で表される有機ケイ素化合物であった。本化合物を有機ケイ素化合物Ｄとする。
【００４５】
［実施例１−５］有機ケイ素化合物Ｅの合成
チオ酢酸の量を１９ｇに変更した以外は、実施例１−４と同様に反応および後処理を行い、粘度１３，０００ｍＰａ・ｓ、数平均分子量９，２００の褐色透明液体を得た。
生成物の分子量および1Ｈ−ＮＭＲスペクトルから求めた平均構造は、上記式（１）において、Ａ＝−ＣＨ3、Ｘ＝−ＣＯ−、ａ＝５２、ｂ＝５、（ｃ＋ｄ）＝６、ｅ＝１１、ｆ＝２９で表される有機ケイ素化合物であった。本化合物を有機ケイ素化合物Ｅとする。
【００４６】
［２］ゴム組成物の調製
［実施例２−１］
表１に示されるように、油展エマルジョン重合ＳＢＲ（ＪＳＲ（株）製＃１７１２）１１０部、ＮＲ（ＲＳＳ＃３グレード）２０部、カーボンブラック（Ｎ２３４グレード）２０部、シリカ（日本シリカ工業（株）製ニプシルＡＱ）７０部、実施例１−１で得られた有機ケイ素化合物Ａを７．０部、ステアリン酸１部、並びに老化防止剤６Ｃ（大内新興化学工業（株）製ノクラック６Ｃ）１部を配合してマスターバッチを調製した。
これに亜鉛華３部、加硫促進剤ＤＭ（ジベンゾチアジルジスルフィド）０．５部、加硫促進剤ＮＳ（Ｎ−ｔ−ブチル−２−ベンゾチアゾリルスルフェンアミド）１部および硫黄１．５部を加えて混練し、ゴム組成物を得た。
【００４７】
［実施例２−２〜２−５］
表１に示されるように、実施例１−１で得られた有機ケイ素化合物Ａを、実施例１−２〜１−５で得られた有機ケイ素化合物Ｂ〜Ｅにそれぞれ変更した以外は、実施例２−１と同様にしてゴム組成物を得た。
【００４８】
［比較例２−１〜２−３］
表２に示されるように、実施例１−１で得られた有機ケイ素化合物Ａを、ビス（トリエトキシシリルプロピル）テトラスルフィド（ＫＢＥ−８４６、信越化学工業（株）製）、上記平均構造式（６）または（７）で表される有機ケイ素化合物にそれぞれ変更した以外は、実施例２−１と同様にしてゴム組成物を得た。
【００４９】
上記実施例２−１〜２−５および比較例２−１〜２−３で得られたゴム組成物について、未加硫および加硫物性を下記の方法で測定した。結果を表１，２に併せて示す。
【００５０】
〔未加硫物性〕
（１）ムーニー粘度
ＪＩＳ  Ｋ  ６３００に準拠し、温度１３０℃、余熱１分、測定４分にて測定し、比較例２−１を１００として指数で表した。指数の値が小さいほど、ムーニー粘度が低く、加工性に優れている。
【００５１】
〔加硫物性〕
（２）動的粘弾性
粘弾性測定装置（レオメトリックス社製）を使用し、引張の動歪５％、周波数１５Ｈｚ、０℃または６０℃の条件にて測定した。なお、試験片は厚さ０．２ｃｍ、幅０．５ｃｍのシートを用い、使用挟み間距離２ｃｍとして初期荷重を１６０ｇとした。ｔａｎδの値は比較例２−１を１００として指数で表した。０℃の指数値が大きいほどウェットグリップ性能が優れるものとして評価でき、６０℃の指数値が小さいほどヒステリシスロスが小さく低発熱性である。
（３）耐磨耗性
ＪＩＳ  Ｋ  ６２６４−２：２００５に準拠し、ランボーン型磨耗試験機を用いて室温、スリップ率２５％の条件で試験を行い、比較例２−１を１００として指数表示した。指数値が大きいほど、磨耗量が少なく耐磨耗性に優れることを示す。
【００５２】
【表１】
2019143032.tif 000013
【００５３】
【表２】
2019143032.tif 000014
【００５４】
表１および２に示されるように、実施例２−１〜２−５のゴム組成物は、比較例２−１のゴム組成物に比べ、ムーニー粘度が低く、加工性に優れていることがわかる。
また、実施例２−１〜２−５のゴム組成物の加硫物は、比較例２−１〜２−３のゴム組成物の加硫物に比べ、ウェットグリップ性能が優れ、さらに低発熱性であり、また、耐摩耗性に優れていることがわかる。
【００５５】
［実施例２−６］
表３に示されるように、ＮＲ（ＲＳＳ＃３グレード）１００部、プロセスオイル３８部、カーボンブラック（Ｎ２３４グレード）５部、シリカ（日本シリカ工業（株）製ニプシルＡＱ）１０５部、実施例１−１で得られた有機ケイ素化合物Ａを８．４部、ステアリン酸２部、老化防止剤６Ｃ（大内新興化学工業（株）製ノクラック６Ｃ）２部を配合してマスターバッチを調製した。
これに酸化亜鉛２部、加硫促進剤ＣＺ（大内新興化学工業（株）製ノクセラーＣＺ、Ｎ−シクロヘキシル−２−ベンゾチアゾリルスルフェンアミド）３部および硫黄２部を加えて混練し、ゴム組成物を得た。
【００５６】
［実施例２−７〜２−１０］
表３に示されるように、実施例１−１で得られた有機ケイ素化合物を、実施例１−２〜１−５で得られた有機ケイ素化合物Ｂ〜Ｅにそれぞれ変更した以外は、実施例２−１と同様にしてゴム組成物を得た。
【００５７】
［比較例２−４〜２−６］
表４に示されるように、実施例１−１で得られた有機ケイ素化合物Ａを、ビス（トリエトキシシリルプロピル）テトラスルフィド（ＫＢＥ−８４６、信越化学工業（株）製）、上記平均構造式（６）または（７）で表わされる有機ケイ素化合物にそれぞれ変更した以外は、実施例２−６と同様にしてゴム組成物を得た。
【００５８】
次に、ゴム組成物の未加硫物性（ムーニー粘度）および加硫物性（動的粘弾性、耐磨耗性）を上記と同様の方法で測定した。比較例２−４を１００として指数で表した結果を表３，４に併せて示す。
【００５９】
【表３】
2019143032.tif 000015
【００６０】
【表４】
2019143032.tif 000016
【００６１】
表３および表４に示されるように、実施例２−６〜２−１０のゴム組成物の加硫物は、比較例２−４〜２−６のゴム組成物の加硫物に比べ、動的粘弾性が低く、すなわち、ヒステリシスロスが小さく低発熱性であり、また、耐摩耗性に優れていることがわかる。